(57)【特許請求の範囲】
【請求項１】
複数のアンテナを備え、アンテナの切り替えを行う携帯端末装置において、
前記携帯端末装置の装置状態を検出する装置状態検出手段と、
前記携帯端末装置に接続されるアクセサリを検出するアクセサリ接続検出手段と、
前記携帯端末装置の通信状態を検出する通信状態検出手段と、
前記装置状態と前記アクセサリと前記通信状態を示す複数の呼種との組み合わせに応じて予め決定され、前記組み合わせに１対１に対応したアンテナを示すアンテナ設定情報を格納する記憶手段と、
前記装置状態検出手段、前記アクセサリ接続検出手段、及び前記通信状態検出手段にて検出された各検出結果と、前記記憶手段に格納された前記アンテナ設定情報とを照合し、前記各検出結果に該当するアンテナを前記アンテナ設定情報の中から選択し、前記アンテナに切り替えるアンテナ切り替え手段と、を有し、
前記携帯端末装置は、前記通信状態を示す複数の呼種の通信が可能、または、複数の呼種の組合せの通信が可能である
ことを特徴とする携帯端末装置。
【請求項２】
前記装置状態検出手段は、前記携帯端末装置の筐体における、開閉状態、スライド状態、回転状態のうち少なくとも１つを検出することを特徴とする請求項１記載の携帯端末装置。
【請求項３】
前記装置状態検出手段は、前記携帯端末装置のホイップアンテナの伸縮状態を検出することを特徴とする請求項１又は２記載の携帯端末装置。
【請求項４】
前記アクセサリ接続検出手段は、ヘッドホン、ワイヤレス通信器、充電器のうち少なくとも１つの接続有無を検出することを特徴とする請求項１から３のいずれか１項に記載の携帯端末装置。
【請求項５】
前記通信状態検出手段は、待受状態、音声通話、ＴＶ電話通信、メールのうち少なくとも１つの呼種を検出することを特徴とする請求項１から４のいずれか１項に記載の携帯端末装置。
【請求項６】
複数のアンテナを備えた携帯端末装置で行われるアンテナ切り替え方法において、
前記携帯端末装置の装置状態を検出する装置状態検出ステップと、
前記携帯端末装置に接続されるアクセサリを検出するアクセサリ接続検出ステップと、
前記携帯端末装置の通信状態を検出する通信状態検出ステップと、
前記装置状態と前記アクセサリと前記通信状態を示す複数の呼種との組み合わせに応じて予め決定され、
前記組み合わせに１対１に対応したアンテナを示すアンテナ設定情報を格納する記憶ステップと、
前記装置状態検出ステップ、前記アクセサリ接続検出ステップ、及び前記通信状態検出ステップにて検出された各検出結果と、前記記憶ステップにて格納された前記アンテナ設定情報とを照合し、前記各検出結果に該当するアンテナを前記アンテナ設定情報の中から選択し、前記アンテナに切り替えるアンテナ切り替えステップと、を有し、
前記携帯端末装置は、前記通信状態を示す複数の呼種の通信が可能、または、複数の呼種の組合せの通信が可能である
ことを特徴とするアンテナ切り替え方法。
【請求項７】
前記装置状態検出ステップは、前記携帯端末装置の筐体における、開閉状態、スライド状態、回転状態のうち少なくとも１つを検出することを特徴とする請求項６記載のアンテ
ナ切り替え方法。
【請求項８】
前記装置状態検出ステップは、前記携帯端末装置のホイップアンテナの伸縮状態を検出することを特徴とする請求項６又は７記載のアンテナ切り替え方法。
【請求項９】
前記アクセサリ接続検出ステップは、ヘッドホン、ワイヤレス通信器、充電器のうち少なくとも１つの接続有無を検出することを特徴とする請求項６から８のいずれか１項に記載のアンテナ切り替え方法。
【請求項１０】
前記通信状態検出ステップは、待受状態、音声通話、ＴＶ電話通信、メールのうち少なくとも１つの呼種を検出することを特徴とする請求項６から９のいずれか１項に記載のアンテナ切り替え方法。
【請求項１１】
複数のアンテナを備えた携帯端末装置にアンテナ切り替え方法を実行させるプログラムにおいて、
前記携帯端末装置の装置状態を検出する装置状態検出処理と、
前記携帯端末装置に接続されるアクセサリを検出するアクセサリ接続検出処理と、
前記携帯端末装置は、前記通信状態を示す複数の呼種の通信が可能、または、複数の呼種の組合せの通信が可能である通信処理と、
前記携帯端末装置の通信状態を検出する通信状態検出処理と、
前記装置状態検出処理、前記アクセサリ接続検出処理、及び前記通信状態検出処理にて検出された各検出結果と、前記装置状態と前記アクセサリと前記通信状態を示す複数の呼種との組み合わせに応じて予め決定され、前記組み合わせに１対１に対応したアンテナを示すアンテナ設定情報を格納する記憶処理にて格納された前記アンテナ情報とを照合し、前記各検出結果に該当するアンテナを前記アンテナ設定情報の中から選択し、前記アンテナに切り替えるアンテナ切り替え処理と、
を携帯端末装置に実行させることを特徴とするプログラム。
【請求項１２】
前記装置状態検出処理は、前記携帯端末装置の筐体における、開閉状態、スライド状態、回転状態のうち少なくとも１つを検出する処理であることを特徴とする請求項１１記載のプログラム。
【請求項１３】
前記装置状態検出処理は、前記携帯端末装置のホイップアンテナの伸縮状態を検出する処理であることを特徴とする請求項１１又は１２記載のプログラム。
【請求項１４】
前記アクセサリ接続検出処理は、ヘッドホン、ワイヤレス通信器、充電器のうち少なくとも１つの接続有無を検出する処理であることを特徴とする請求項１１から１３のいずれか１項に記載のプログラム。
【請求項１５】
前記通信状態検出処理は、待受状態、音声通話、ＴＶ電話通信、メールのうち少なくとも１つの呼種を検出する処理であることを特徴とする請求項１１から１４のいずれか１項に記載のプログラム。
【発明の詳細な説明】
【技術分野】
【０００１】
本発明は、装置の状態及び通信の状態に応じて、適切なアンテナへの切り替えを行う携帯端末装置、アンテナ切り替え方法、及びプログラムに関する。
【背景技術】
【０００２】
従来の携帯電話機に用いられるアンテナは、人体近傍にて特性劣化する傾向にあり、手で握られた状態や放置状態等、ユーザの使用シーンによって顕著に変動することが知られており、携帯電話機が無線信号を送受信するためのアンテナを単独で備えている場合、携帯電話機の小型化に伴い、全ての状態における品質確保が困難なものとなっている。また、携帯電話機の対応周波数やアンテナ特性確保のために複数アンテナを備えている場合でも、携帯電話機の小型化に伴い、人体近傍の影響は避けられず、受信電力強度に応じて回線品質の良いアンテナを選択し、そのアンテナに切り替える等、複雑な制御シーケンスが必要となっている。【０００３】
携帯電話機のアンテナ切り替えに係る従来技術例として、複数のアンテナを有する折り畳み式無線装置において、通信状態と、折り畳み状態（開閉状態）とに応じてアンテナの切り替えを行うことにより、アンテナ切り替え時の性能劣化を防止することができる「無線装置及び無線装置におけるアンテナ切り替え方法」がある（例えば、特許文献１参照）。
また、別の従来技術例として、複数のアンテナを有し、携帯無線装置に用いられるアンテナ装置において、折り畳み状態（開閉状態）に応じてアンテナの選択及び切り替えを行う「アンテナ装置」がある（例えば、特許文献２参照）。
【特許文献１】特開２００２−１９０７５２号公報
【特許文献２】特開２００３−１３３９９１号公報
【発明の開示】
【発明が解決しようとする課題】
【０００４】
上記特許文献１及び２記載の発明は、アンテナの切り替えにおいて、通信状態であるか又は待受状態であるか、あるいは、装置が開状態であるか又は閉状態（折り畳んだ状態）であるかのみを判別する。しかしながら、現在の携帯電話機は、様々な機能を備えており、それらの機能は同時に複数使用されることもあるため、携帯電話機の使用状態は多様化しており、通信状態や折り畳み状態だけを判別対象とすることでは適切なアンテナ切り替えは困難である。よって、上記特許文献１及び２のような従来の携帯電話機のアンテナ切り替え方法は、現在の携帯電話機の様々な使用状態に対応することはできない。【０００５】
よって、携帯電話機のアンテナ切り替えにおいて、アンテナの選択条件を多様化し、携帯電話機の様々な使用状態に対応して品質確保ができる効率良い制御システムを構築する必要がある。【０００６】
本発明は、上記事情に鑑みてなされたものであり、複数のアンテナを有する携帯電話機において、装置の開閉状態、アクセサリの接続有無及び無線通信状態（待受状態を含む各呼種）等の様々な使用状態に応じて使用アンテナを選択し、適当なアンテナに切り替えることにより、複雑なアンテナ切り替え制御シーケンスを簡素化すると共に、ユーザの使用シーンによる顕著なアンテナ特性変動の問題を解決することを目的とする。
【課題を解決するための手段】
【０００７】
かかる目的を達成するために、請求項１記載の発明は、複数のアンテナを備え、アンテナの切り替えを行う携帯端末装置において、携帯端末装置の状態を複数検出し、複数の検出結果に基づいて複数のアンテナの中から適切なアンテナを選択して切り替えることを特徴とする。【０００８】
請求項２記載の発明は、複数のアンテナを備え、アンテナの切り替えを行う携帯端末装置において、携帯端末装置の装置状態を検出する装置状態検出手段と、携帯端末装置に接続されるアクセサリを検出するアクセサリ接続検出手段と、携帯端末装置の通信状態を検出する通信状態検出手段と、装置状態検出手段、アクセサリ接続検出手段、及び通信状態検出手段にて検出された各検出結果に基づいて複数のアンテナの中から適切なアンテナを選択して切り替えるアンテナ切り替え手段と、を有することを特徴とする。【０００９】
請求項３記載の発明は、請求項２記載の発明において、装置状態検出手段は、携帯端末装置の筐体における、開閉状態、スライド状態、回転状態のうち少なくとも１つを検出することを特徴とする。【００１０】
請求項４記載の発明は、請求項２又は３記載の発明において、装置状態検出手段は、携帯端末装置のホイップアンテナの伸縮状態を検出することを特徴とする。【００１１】
請求項５記載の発明は、請求項２から４のいずれか１項に記載の発明において、アクセサリ接続検出手段は、ヘッドホン、ワイヤレス通信器、充電器のうち少なくとも１つの接続有無を検出することを特徴とする。【００１２】
請求項６記載の発明は、請求項２から５のいずれか１項に記載の発明において、通信状態検出手段は、待受状態、音声通話、ＴＶ電話通信、メールのうち少なくとも１つの呼種を検出することを特徴とする。【００１３】
請求項７記載の発明は、請求項２から６のいずれか１項に記載の発明において、装置状態検出手段、アクセサリ接続検出手段、及び通信状態検出手段にて検出される各検出結果と１対１に対応したアンテナを示すアンテナ設定情報を格納する記憶手段を有し、アンテナ切り替え手段は、装置状態検出手段、アクセサリ接続検出手段、及び通信状態検出手段にて検出された各検出結果と、記憶手段に格納されたアンテナ設定情報とを照合し、各検出結果に該当するアンテナをアンテナ設定情報の中から選択し、アンテナに切り替えることを特徴とする。【００１４】
請求項８記載の発明は、複数のアンテナを備えた携帯端末装置で行われるアンテナ切り替え方法において、携帯端末装置の状態を複数検出し、複数の検出結果に基づいて複数のアンテナの中から適切なアンテナを選択して切り替えることを特徴とする。【００１５】
請求項９記載の発明は、複数のアンテナを備えた携帯端末装置で行われるアンテナ切り替え方法において、携帯端末装置の装置状態を検出する装置状態検出ステップと、携帯端末装置に接続されるアクセサリを検出するアクセサリ接続検出ステップと、携帯端末装置の通信状態を検出する通信状態検出ステップと、装置状態検出ステップ、アクセサリ接続検出ステップ、及び通信状態検出ステップにて検出された各検出結果に基づいて複数のアンテナの中から適切なアンテナを選択して切り替えるアンテナ切り替えステップと、を有することを特徴とする。【００１６】
請求項１０記載の発明は、請求項９記載の発明において、装置状態検出ステップは、携帯端末装置の筐体における、開閉状態、スライド状態、回転状態のうち少なくとも１つを検出することを特徴とする。【００１７】
請求項１１記載の発明は、請求項９又は１０記載の発明において、装置状態検出ステップは、携帯端末装置のホイップアンテナの伸縮状態を検出することを特徴とする。【００１８】
請求項１２記載の発明は、請求項９から１１のいずれか１項に記載の発明において、アクセサリ接続検出ステップは、ヘッドホン、ワイヤレス通信器、充電器のうち少なくとも１つの接続有無を検出することを特徴とする。【００１９】
請求項１３記載の発明は、請求項９から１２のいずれか１項に記載の発明において、通信状態検出ステップは、待受状態、音声通話、ＴＶ電話通信、メールのうち少なくとも１つの呼種を検出することを特徴とする。【００２０】
請求項１４記載の発明は、請求項９から１３のいずれか１項に記載の発明において、装置状態検出ステップ、アクセサリ接続検出ステップ、及び通信状態検出ステップにて検出される各検出結果と１対１に対応したアンテナを示すアンテナ設定情報を予め格納する記憶ステップを有し、アンテナ切り替えステップは、装置状態検出ステップ、アクセサリ接続検出ステップ、及び通信状態検出ステップにて検出された各検出結果と、記憶ステップにて格納されたアンテナ設定情報とを照合し、各検出結果に該当するアンテナをアンテナ設定情報の中から選択し、アンテナに切り替えることを特徴とする。【００２１】
請求項１５記載の発明は、複数のアンテナを備えた携帯端末装置にアンテナ切り替え方法を実行させるプログラムにおいて、携帯端末装置の状態を複数検出し、複数の検出結果に基づいて複数のアンテナの中から適切なアンテナを選択して切り替える処理を携帯端末装置に実行させることを特徴とする。【００２２】
請求項１６記載の発明は、複数のアンテナを備えた携帯端末装置にアンテナ切り替え方法を実行させるプログラムにおいて、携帯端末装置の装置状態を検出する装置状態検出処理と、携帯端末装置に接続されるアクセサリを検出するアクセサリ接続検出処理と、携帯端末装置の通信状態を検出する通信状態検出処理と、装置状態検出処理、アクセサリ接続検出処理、及び通信状態検出処理にて検出された各検出結果に基づいて複数のアンテナの中から適切なアンテナを選択して切り替えるアンテナ切り替え処理と、を携帯端末装置に実行させることを特徴とする。【００２３】
請求項１７記載の発明は、請求項１６記載の発明において、装置状態検出処理は、携帯端末装置の筐体における、開閉状態、スライド状態、回転状態のうち少なくとも１つを検出する処理であることを特徴とする。【００２４】
請求項１８記載の発明は、請求項１６又は１７記載の発明において、装置状態検出処理は、携帯端末装置のホイップアンテナの伸縮状態を検出する処理であることを特徴とする。【００２５】
請求項１９記載の発明は、請求項１６から１８のいずれか１項に記載の発明において、アクセサリ接続検出処理は、ヘッドホン、ワイヤレス通信器、充電器のうち少なくとも１つの接続有無を検出する処理であることを特徴とする。【００２６】
請求項２０記載の発明は、請求項１６から１９のいずれか１項に記載の発明において、通信状態検出処理は、待受状態、音声通話、ＴＶ電話通信、メールのうち少なくとも１つの呼種を検出する処理であることを特徴とする。【００２７】
請求項２１記載の発明は、請求項１６から２０のいずれか１項に記載の発明において、装置状態検出処理、アクセサリ接続検出処理、及び通信状態検出処理にて検出される各検出結果と１対１に対応したアンテナを示すアンテナ設定情報を予め格納する記憶処理を携帯端末装置に実行させ、アンテナ切り替え処理は、装置状態検出処理、アクセサリ接続検出処理、及び通信状態検出処理にて検出された各検出結果と、記憶処理にて格納されたアンテナ設定情報とを照合し、各検出結果に該当するアンテナをアンテナ設定情報の中から選択し、アンテナに切り替える処理であることを特徴とする。
【発明の効果】
【００２８】
本発明によれば、携帯電話機のアンテナ切り替えにおいて、アンテナの選択条件を多様化することにより、様々な使用状態に対応することができるので、従来に比べ適切なアンテナ切り替えを実現することが可能となる。
【発明を実施するための最良の形態】
【００２９】
以下、本発明を実施するための最良の形態について添付図面を参照して詳細に説明する。【００３０】
本発明の特徴は、少なくとも２以上のアンテナを備えた移動体通信端末装置（携帯端末装置）において、装置の状態（折り畳み式の開閉状態、スライドや回転形式による状態等）、ヘッドホン等のアクセサリ類の接続有無、無線通信状態（待受状態、音声通話、ＴＶ電話通信、メール等のデータ通信の各呼種）に応じて、使用するアンテナを選択し、最も適当なアンテナに切り替えることを特徴とする。
【実施例１】
【００３１】
本発明の携帯端末装置の一実施例である携帯電話機の構成について、図１を用いて説明する。なお、本実施例の携帯電話機は、上側筐体と下側筐体とがヒンジ部を介して開閉可能な折り畳み式携帯電話機とする。【００３２】
図１に示すように、本実施例の携帯電話機は、無線通信を行うためのアンテナ１とアンテナ２、送受信回路を含む無線部３、各部の動作処理を制御する制御部４、携帯電話機の開閉状態を検出する開閉検出部５、ヘッドホンの接続の有無を検出するヘッドホン検出部６、アンテナ設定情報等を格納するメモリ７、表示部８、操作部９、スピーカ１０を有している。また、本実施例の携帯電話機は、無線通信方式として、Idle,AMR,UDI/PPP,IP,TV等の通信が可能であり、これらの組み合わせ通信も可能とする。【００３３】
アンテナ１とアンテナ２は、本実施例の携帯電話機が複数のアンテナを持つことを表しており、無線通信を行う際は、どちらか１つのアンテナが用いられる。開閉検出部５は、携帯電話機の開閉状態を検出し、検出結果を検出情報（携帯電話機が開状態か又は閉状態かを示す情報）として制御部４に送る。ヘッドホン検出部６は、携帯電話機へのヘッドホンの接続有無を検出し、検出結果を検出情報（ヘッドホンの接続が有るか否かを示す情報）として制御部４に送る。制御部４は、待受状態を含む、携帯電話機の無線通信状態（各呼種）を判別する。また、制御部４は、開閉検出部５及びヘッドホン検出部６から受け取った各検出情報及び自らが判別した通信状態（呼種）と、メモリ７に格納されたアンテナ設定情報とを照合し、現在の使用状態に適切なアンテナを選択し、別のアンテナが使用されていれば、選択したアンテナに切り替える制御を行う。【００３４】
次に、図１、図２、及び図３を参照して、本実施例の携帯電話機の動作（アンテナ切り替え方法）の説明をする。なお、本実施例のアンテナ切り替え方法を実行するためのプログラムは、所定の記憶領域から携帯電話機に読み込まれ、携帯電話機の動作を制御する。携帯電話機は、このプログラムの制御により図２に示す処理動作（ステップＳ１〜ステップＳ８）を実行する。【００３５】
本実施例の携帯電話機において、図２に示すように、開閉検出部５は携帯電話機の開閉状態を検出し（ステップＳ１）、また、ヘッドホン検出部６は携帯電話機へのヘッドホンの接続有無を検出する（ステップＳ２）。次に、制御部４は携帯電話機の通信状態をチェックし（ステップＳ３）、その通信状態と、開閉検出部５及びヘッドホン検出部６からの各検出情報とを合わせ、あらかじめメモリ７に格納されている、携帯電話機の各状態に応じて使用するアンテナを示すアンテナ設定情報（図３参照）を元に、使用する適切なアンテナを１つ選択し、アンテナの切り替え制御を行う（ステップＳ４）。【００３６】
ここで、ステップＳ４で用いられるアンテナ設定情報について図３を参照して説明する。アンテナ設定情報は、適切なアンテナを設定するための基準となる情報であり、携帯電話機の様々な状態に対応するための情報である。アンテナ設定情報は、図３に示すように、適切なアンテナを選択するための条件として、携帯電話機の開いた状態か閉じた状態か（開or閉）、携帯電話機のヘッドホンが接続されているか否か（ヘッドホン無orヘッドホン有）、通信状態（呼種）は何か（Idle，AMR,UDI/PPP,IP,TV,Multiのうちのどの通信状態か。Multiは、例えば「AMR」＋「IP」等、２以上の通信状態を組み合わせた通信状態のこと）が設定されている。そして、各条件には設定すべきアンテナ（アンテナ１orアンテナ２）が１対１に対応している。例えば、開閉検出部５により検出された検出情報が「閉」であり、ヘッドホン検出部６により検出された検出情報が「ヘッドホン有」であり、制御部４により検出された通信状態が「IP」である場合は、これらの条件に適合する「アンテナ１」が選択される。以上のように、本実施例では、携帯電話機のアンテナ切り替えにおいて、アンテナの選択条件を多様化し、様々な使用状態に対応している。よって、従来に比べ適切なアンテナ切り替えを実現することが可能となる。【００３７】
また、このアンテナ設定情報は、携帯電話機の製造時に予めメモリに格納される情報であるが、ユーザが任意に各条件の追加／削除を行えるようにしても良い。【００３８】
制御部４により選択されたアンテナ（アンテナ１あるいはアンテナ２）を用い、無線部３は無線通信を行う（ステップＳ５、Ｓ６）。【００３９】
例えば、アンテナ１を用いた通信状態にあるとき、その通信状態を含み、携帯電話機の状態変化が、制御部４、開閉検出部５、ヘッドホン検出部６によって検出された場合（ステップＳ７）、制御部４は再度メモリ７に格納されたアンテナ設定情報（図３参照）に応じ、使用するアンテナの切り替え・変更処理を行う。各検出情報及びアンテナ設定情報を元に、アンテナ切り替えが不要の場合は、選択使用中のアンテナを継続使用して無線部３は無線通信を行う（ステップＳ８）。【００４０】
本実施例では、２つのアンテナを備える構成としたが、携帯電話機が有するアンテナをｎ個（ｎ＞２、ｎは整数）とし、各状態に応じて使用するアンテナを１つ選択して切り替えを行う構成でもよい。【００４１】
以上のことから、本実施例の携帯電話機においては、次のような効果を奏する。
第１の効果としては、携帯電話機の様々な状態に応じて、使用するアンテナを切り替えることにより、複雑な制御シーケンスを不要として効率よくアンテナを切り替え、使用できることである。
第２の効果としては、複数アンテナを効率よく切り替え使用することにより、アンテナの人体影響を軽減し、アンテナ特性及び携帯電話機の品質確保できることである。
【実施例２】
【００４２】
本発明の実施例２は、図４に示すように基本構成を前述の実施例１と同様にし、加えて、携帯電話機が伸張可能なホイップアンテナ（図示せず）を有する場合である。本実施例では、ホイップアンテナの伸張及び収縮を検出するアンテナ状態検出部１１を有し、ホイップアンテナの伸張状態及び収縮状態をアンテナ切り替えのトリガーとして、実施例１の使用アンテナ設定の条件に加え、アンテナ切り替えを行うようにする。よって、本実施例は、実施例１の効果に加え、ホイップアンテナを有する携帯電話機にも適用できる。
【実施例３】
【００４３】
本発明の実施例３は、基本構成を前述の実施例１及び実施例２のいずれかの携帯電話機にと同様にし、開閉検出部５を、上下いずれかの筐体がスライドするスライド式携帯電話機や、上下いずれかの筐体が回転する回転式携帯電話機の装置状態変化（スライドしている状態か否か・回転している状態か否か）を検出するようにする。そして、検出した装置状態変化をアンテナ切り替えのトリガーとして、実施例１の使用アンテナ設定の条件に加え、アンテナ切り替えを行うようにする。よって、本実施例は、実施例１及び２の効果に加え、折り畳み式以外の携帯電話機にも適用できる。
【実施例４】
【００４４】
本発明の実施例４は、実施例１から実施例３のいずれかの携帯電話機において、図５に示すように、ヘッドホン以外の、ユーザが任意に携帯電話機への接続可能なアクセサリ（Blue Toothを用いたワイヤレス通信機や充電器）の接続有無を検出するアクセサリ接続検出部１２を有し、それらの接続有無をトリガーとして、実施例１の使用アンテナ設定の条件に加え、アンテナ切り替えを行うようにする。なお、図５では、ヘッドホン検出部５と、アクセサリ接続検出部１２とを別々に設けたが、アクセサリ接続検出部１２にヘッドホン検出部５の機能を含むようにして構成しても良い。よって、本実施例は、実施例１から３のいずれかの効果に加え、ヘッドホン以外のアクセサリを接続可能な携帯電話機にも適用できる。【００４５】
以上、本発明の実施例１〜４について説明したが、上記各実施例の記載に限定されるものではなく、その要旨を逸脱しない範囲において種々の変形が可能である。
【産業上の利用可能性】
【００４６】
本発明は、携帯電話機以外の携帯端末装置を含む通信機器分野全般に適用できる。
【図面の簡単な説明】
【００４７】
【図１】本発明の実施例１の携帯電話機の基本構成を示すブロック図である。
【図２】本発明の実施例１の携帯電話機の動作を示すフローチャートである。
【図３】本発明の実施例１の携帯電話機の状態と使用アンテナとを対応付けを示す表である。
【図４】本発明の実施例２の携帯電話機の基本構成を示すブロック図である。
【図５】本発明の実施例４の携帯電話機の基本構成を示すブロック図である。
【符号の説明】
【００４８】
１    アンテナ
２    アンテナ
３    無線部
４    制御部（通信状態検出手段の一例、アンテナ切り替え手段の一例）
５    開閉検出部（装置状態検出手段の一例）
６    ヘッドホン検出部（アクセサリ接続検出手段の一例）
７    メモリ（記憶手段の一例）
８    表示部
９    操作部
１０    スピーカ
１１    アンテナ状態検出部（装置状態検出手段の一例）
１２    アクセサリ接続検出部（アクセサリ接続検出手段の一例）
【図１】
0005256741.tif 000002
【図２】
0005256741.tif 000003
【図３】
0005256741.tif 000004
【図４】
0005256741.tif 000005
【図５】
0005256741.tif 000006